(57)【要約】【課題】画像データを格納するための格納手段の容量を増大させることなく、印刷色の色数を増加させることを可能とする。【解決手段】色変換部４１は、第１の表色系のＲＢＧ画像データを第２の表色系のＣＭＹＫ画像データに変換する。画像メモリ４２は、色変換部４１により変換されたＣＭＹＫの画像データを格納する。遅延バッファメモリ６１Ｃ、６１Ｍは、画像メモリ４２に格納されたＣＭＹＫ４色の画像データのうちのＣ、Ｍの２色の画像データを、それぞれ予め設定された時間Ｔだけ遅延させて出力する。色変換部６２は、遅延バッファメモリ６１Ｃ、６１Ｍにより遅延された後の画像データＣ、Ｍおよび遅延される前の画像データＣ、Ｍを、それぞれ、印刷色ＤＣおよびＬＣ、ＤＭおよびＬＭに対応した画像形成ユニット５１ＤＣ、５１ＬＣ、５１ＤＭ、５１ＬＭを制御するための画像データＤＣ、ＬＣおよび画像データＤＭ、ＬＭに変換する。【選択図】図５
2011254346.tif 000002
【特許請求の範囲】
【請求項１】
第１の表色系の画像データを第２の表色系の画像データに変換する第１の色変換手段と、前記第１の色変換手段により変換された第２の表色系の画像データを格納する格納手段とを有する画像処理部と、
前記格納手段に格納された前記第２の表色系の画像データのうちの少なくとも１色の画像データを異なる印刷色に対応した印刷機構を制御するための複数の画像データに変換する第２の色変換手段と、前記第２の色変換手段により変換された複数の画像データ間に予め設定された時間の遅延が発生するように前記第２の色変換手段により変換される前の画像データまたは前記第２の色変換手段により変換された後の画像データを遅延する遅延手段とを有する出力制御部と、
異なる印刷色毎に設けられた複数の印刷機構を有し、前記出力制御部による制御に基づいて各印刷色毎の画像を印刷用紙上に出力する画像出力部と、
を備えた画像形成装置。
【請求項２】
前記遅延手段は、前記第２の色変換手段により変換された後の複数の画像データのうちの少なくとも１つの画像データを遅延する請求項１記載の画像形成装置。
【請求項３】
前記遅延手段は、前記第２の色変換手段により変換された異なる印刷色の画像データに基づく複数の画像が印刷用紙上で重なるような時間だけ画像データを遅延させる請求項１または２記載の画像形成装置。
【請求項４】
前記遅延手段により画像データを遅延させる時間は、印刷用紙の搬送速度および前記複数の印刷機構の物理的配置に基づいて設定される請求項３記載の画像形成装置。
【請求項５】
第１の表色系の画像データを第２の表色系の画像データに変換する第１の色変換ステップと、
前記第１の色変換ステップにおいて変換された第２の表色系の画像データを格納するステップと、
格納された前記第２の表色系の画像データのうちの少なくとも１色の画像データを異なる印刷色に対応した印刷機構を制御するための複数の画像データに変換する第２の色変換ステップと、
前記第２の色変換ステップにおいて変換された複数の画像データ間に予め設定された時間の遅延が発生するように、前記第２の色変換ステップにおいて変換される前の画像データまたは変換された後の画像データを遅延するステップとをコンピュータに実行させるためのプログラム。
【発明の詳細な説明】
【技術分野】
【０００１】
本発明は、画像形成装置およびプログラムに関する。
【背景技術】
【０００２】
特許文献１には、ＲＧＢ色空間からＹＭＣＫ色空間への色空間変換処理を、各出力色同時に実行して、出力色毎にタイムラグを修正するディレイバッファを用いて印字タイミングを調整して印字装置に送出するようにした画像処理装置が開示されている。
【０００３】
特許文献２には、色変換のためのＬＵＴ（Look Up Table）等のパラメータデータを２種類もち、それぞれのパラメータデータを用いて補間演算して出力色データを求めることで、パラメータデータを大きくしないで色再現性を向上させるようにした画像処理装置が開示されている。
【０００４】
特許文献３には、共通アドレスを有するＬＵＴを構成して、格子テーブル容量を抑えるようにした色空間変換装置が開示されている。
【先行技術文献】
【特許文献】
【０００５】
【特許文献１】特開２０００−２５５１１１号公報
【特許文献２】特開２００５−１６７９５９号公報
【特許文献３】特開２００５−３５４４２１号公報
【発明の概要】
【発明が解決しようとする課題】
【０００６】
本発明の目的は、画像データを格納するための格納手段の容量を増大させることなく、印刷色の色数を増加させることが可能な画像形成装置およびプログラムを提供することである。
【課題を解決するための手段】
【０００７】
［画像形成装置］
請求項１に係る本発明は、第１の表色系の画像データを第２の表色系の画像データに変換する第１の色変換手段と、前記第１の色変換手段により変換された第２の表色系の画像データを格納する格納手段とを有する画像処理部と、
前記格納手段に格納された前記第２の表色系の画像データのうちの少なくとも１色の画像データを異なる印刷色に対応した印刷機構を制御するための複数の画像データに変換する第２の色変換手段と、前記第２の色変換手段により変換された複数の画像データ間に予め設定された時間の遅延が発生するように前記第２の色変換手段により変換される前の画像データまたは前記第２の色変換手段により変換された後の画像データを遅延する遅延手段とを有する出力制御部と、
異なる印刷色毎に設けられた複数の印刷機構を有し、前記出力制御部による制御に基づいて各印刷色毎の画像を印刷用紙上に出力する画像出力部とを備えた画像形成装置である。
【０００８】
請求項２に係る本発明は、前記遅延手段が、前記第２の色変換手段により変換された後の複数の画像データのうちの少なくとも１つの画像データを遅延する請求項１記載の画像形成装置である。
【０００９】
請求項３に係る本発明は、前記遅延手段が、前記第２の色変換手段により変換された異なる印刷色の画像データに基づく複数の画像が印刷用紙上で重なるような時間だけ、画像データを遅延させる請求項１または２記載の画像形成装置である。
【００１０】
請求項４に係る本発明は、前記遅延手段により画像データを遅延させる時間が、印刷用紙の搬送速度および前記複数の印刷機構の物理的配置に基づいて設定される請求項３記載の画像形成装置である。
【００１１】
［プログラム］
請求項５に係る本発明は、第１の表色系の画像データを第２の表色系の画像データに変換する第１の色変換ステップと、
前記第１の色変換ステップにおいて変換された第２の表色系の画像データを格納するステップと、
格納された前記第２の表色系の画像データのうちの少なくとも１色の画像データを異なる印刷色に対応した印刷機構を制御するための複数の画像データに変換する第２の色変換ステップと、
前記第２の色変換ステップにおいて変換された複数の画像データ間に予め設定された時間の遅延が発生するように、前記第２の色変換ステップにおいて変換される前の画像データまたは変換された後の画像データを遅延するステップとをコンピュータに実行させるためのプログラムである。
【発明の効果】
【００１２】
請求項１に係る本発明によれば、画像データを格納するための格納手段の容量を増大させることなく、印刷色の色数を増加させることが可能な画像形成装置を提供することができる。
【００１３】
請求項２に係る本発明によれば、請求項１により得られる効果に加えて、遅延手段を第２の色変換手段の前段に設けた場合と比較して、画像データの転送する際に使用される物理的なメモリの個数を削減することが可能な画像形成装置を提供することができる。
【００１４】
請求項３に係る本発明によれば、請求項１または２により得られる効果に加えて、遅延手段に必要なデータ記憶容量を最小限とすることが可能な画像形成装置を提供することができる。
【００１５】
請求項４に係る本発明によれば、請求項３により得られる効果に加えて、印刷用紙の搬送速度と印刷機構の物理的配置に応じた
遅延時間を遅延手段に対して設定することが可能な画像形成装置を提供することができる。
【００１６】
請求項５に係る本発明によれば、画像データを格納するための格納手段の容量を増大させることなく、印刷色の色数を増加させることが可能なプログラムを提供することができる。
【図面の簡単な説明】
【００１７】
【図１】本発明の一実施形態の画像形成システムのシステム構成を示す図である。
【図２】本発明の一実施形態における画像形成装置１０のハードウェア構成を示すブロック図である。
【図３】図２中のプリントエンジン１７の概略構成を説明するための図である。
【図４】本発明の一実施形態における画像形成装置１０の機能構成を示すブロック図である。
【図５】図４中の出力制御部２２の構成および画像処理部２１と出力制御部２２間の処理の流れを示す図である。
【図６】色変換部６２における色変換処理の一例を説明するための図である。
【図７】色変換部６２の前段に遅延バッファメモリ６１Ｃが設けられた場合と後段に設けられた場合の差異を説明するための図である。
【図８】ＣＭＹＫの各印刷色の画像データが、出力制御部２２によって画像メモリ４２から読み出されるタイミングを示すタイミングである。
【図９】ＤＣ、ＬＣ、ＤＭ、ＬＭ、Ｙ、Ｋ６色の画像データが画像形成ユニット５１ＤＣ〜５１Ｙに対して出力されるタイミングを示すタイミングチャートである。
【図１０】４色の色材での印刷が行われる場合の出力制御部２２の動作を説明するための図である。
【図１１】画像処理部２１において、ＲＧＢからＤＣ、ＬＣ、ＤＭ、ＬＭ、Ｙ、Ｋの６色への色変換処理を一括して行った場合に必要となるＬＵＴのデータサイズを説明するための図である。
【図１２】本発明の一実施形態における色変換部２１、色変変換部６２において必要となるＬＵＴのデータサイズを説明するための図である。
【発明を実施するための形態】
【００１８】
次に、本発明の実施の形態について図面を参照して詳細に説明する。図１は本発明の一実施形態の画像形成システムの構成を示すブロック図である。
【００１９】
本発明の一実施形態の画像形成システムは、図１に示されるように、ネットワーク３０により相互に接続された画像形成装置１０、端末装置２０およびサーバ４０により構成される。端末装置２０は、印刷データを生成して、ネットワーク３０経由にて生成した印刷データを画像形成装置１０に対してサーバ４０を経由して、または直接送信する。画像形成装置１０は、端末装置２０やサーバ４０から送信された印刷データを受け付けて、この印刷データに応じた画像を用紙上に出力する。なお、画像形成装置１０は、印刷（プリント）機能、スキャン機能、複写（コピー）機能、ファクシミリ機能等の複数の機能を有するいわゆる複合機と呼ばれる装置である。
【００２０】
次に、本実施形態の画像形成システムにおける画像形成装置１０のハードウェア構成を図２に示す。
【００２１】
画像形成装置１０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン（画像出力部）１７を有する。これらの構成要素は、制御バス１８を介して互いに接続されている。
【００２２】
ＣＰＵ１１は、メモリ１２または記憶装置１３に格納された制御プログラムに基づいて所定の処理を実行して、画像形成装置１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００２３】
次に、図２中に示したプリントエンジン１７の概略構成を図３を参照して説明する。
プリントエンジン１７は、図３に示されるように、異なる６色の印刷色毎に設けられた複数の画像形成ユニット（印刷機構）５１ＤＣ〜５１Ｋおよび定着器５２を有している。本実施形態における画像形成装置１０では、印刷色として、ＤＣ(Dark Cyan)、ＬＣ（Light  Cyan）、ＤＭ（Dark Magenta）、ＬＭ(Light Magenta)、Ｙ(Yellow)、Ｋ(Black)という６色の印刷色を用いた画像形成処理が行われる。
【００２４】
画像形成ユニット５１ＤＣ〜５１Ｋは、それぞれ、像担持体としての感光体ドラム、感光体ドラムの表面を一様に帯電する帯電装置、感光体ドラム上に形成された静電潜像を現像する現像器およびクリーニング装置とから構成されている。そして、画像形成ユニット５１ＤＣ〜５１Ｋは、用紙搬送方向に対して順番に配置されている。そして、この画像形成ユニット５１ＤＣ〜５１Ｋにより各印刷色の画像が形成された印刷用紙は、定着器５２により画像の定着処理が行われる。
【００２５】
図４は、図２におけるメモリ１２または記憶装置１３に格納された制御プログラムが実行されることにより実現される画像形成装置１０の機能構成を示すブロック図である。
【００２６】
本実施形態の画像形成装置１０は、図４に示されるように、画像処理部２１、出力制御部２２、通信インタフェース（ＩＦ）１４、ユーザに対して各種情報を表示する表示装置２４、画像読取部２５、データ記憶装置２６、プリントエンジン１７を備えている。なお、図４中において、図２に示した構成要素と同一の構成要素には同じ符号を用いて、その説明については省略する。
【００２７】
画像読取部２５は、検出された原稿のサイズに基づいて原稿画像を読み取り画像データに変換する。データ記憶装置２６は、画像読取部２５により読み取られた画像データや、通信ＩＦ１４を介して受信した画像データ等を記憶する。
【００２８】
画像処理部２１は、画像読取部２５により読み取られた画像データや、通信ＩＦ１４を介して受信した画像データに対して画像処理を行って、プリントエンジン１７において印刷可能な画像データに変換する。
【００２９】
画像処理部２１は、図４に示されるように、色変換部４１（第１の色変換手段）および画像メモリ４２を有している。色変換部４１は、ＲＧＢ（第１の表色系）の画像データをＣＭＹＫ(第２の表色系）の画像データに変換する。画像メモリ４２は、色変換部４１により変換されたＣＭＹＫの画像データを格納するメモリである。
【００３０】
出力制御部２２は、画像メモリ４２に格納されたＣＭＹＫ画像データを各色毎に順次読み出し、この各色画像の画像データをプリントエンジン１７に転送することにより、プリントエンジン１７における画像出力処理を制御する。
【００３１】
プリントエンジン１７は、出力制御部２２による制御に基づいて、各印刷色毎の画像を印刷用紙上に出力する。
【００３２】
制御部２８は、画像処理部２１、出力制御部２２、通信ＩＦ１４、表示装置２４、画像読取部２５、データ記憶装置２６、プリントエンジン１７の動作を制御することにより、印刷処理、複写処理等の各種処理を実行する。
【００３３】
次に、出力制御部２２の構成および画像処理部２１と出力制御部２２間の処理の流れを図５に示す。
画像処理部２１では、第１の表色系の画像データであるＲＧＢの画像データは画像メモリ４２に格納され、色変換部４１は、このＲＧＢの画像データを第２の表色系のＣＭＹＫの画像データに変換して画像メモリ４２に格納する。
【００３４】
そして、出力制御部２２は、図５に示されるように、遅延バッファメモリ６１Ｃ、６１Ｍと、色変換部６２（第２の色変換手段）と、階調補正部６３と、階調再現部６４とを有している。
【００３５】
遅延バッファメモリ６１Ｃ、６１Ｍは、画像メモリ４２に格納されたＣＭＹＫ４色の画像データのうちのＣ、Ｍの２色の画像データを、それぞれ予め設定された遅延時間Ｔだけ遅延させて出力する遅延手段として機能する。なお、この遅延時間Ｔについては後述する。
【００３６】
色変換部６２（第２の色変換手段）は、遅延バッファメモリ６１Ｃにより遅延された後の画像データＣおよび遅延される前の画像データＣを、それぞれ、印刷色ＤＣおよびＬＣに対応した画像形成ユニット５１ＤＣ、５１ＬＣを制御するための画像データＤＣ、ＬＣに変換する。同様に、色変換部６２は、遅延バッファメモリ６１Ｍにより遅延された後の画像データＭおよび遅延される前の画像データＭを、それぞれ、印刷色ＤＭおよびＬＭに対応した画像形成ユニット５１ＤＭ、５１ＬＭを制御するための画像データＤＭ、ＬＭに変換する。
【００３７】
例えば、色変換部６２は、２５６階調のシアンの画像データに対して、図６（Ａ）に示すように、０〜１２８までの階調についてはＬＣ（ライトシアン）の画像データに振り分けるように色変換し、図６（Ｂ）に示すように、１２９〜２５５までの階調についてはＤＣ（ライトシアン）の画像データに振り分けるように色変換する。
【００３８】
なお、図６では説明を簡単にするために色変換部６２における色変換処理の単純な一例を示しており、１つの階調をＤＣとＬＣの２つの階調の組み合わせにより表現するようにしてもよい。このような場合には、ＬＣの階調とＤＣの階調の混合により元のＣの画像データの階調が実現されることとなる。
【００３９】
また、本実施形態では、遅延バッファメモリ６１Ｃ、６１Ｍを色変換部６２の前段に設けた構成としているが、遅延バッファメモリ６１Ｃ、６１Ｍを色変換部６２の後段に設けた構成としても同様の機能を実現することが可能である。
【００４０】
このような構成の場合には、色変換部６２は、画像メモリ４２に格納されたＣＭＹＫ４色の画像データのうちのＣ、Ｍの２色の画像データを、それぞれ、画像データＤＣ、ＬＣおよび画像データＤＭ、ＬＭに変換する。そして、遅延バッファメモリ６１Ｃ、６１Ｍは、色変換部６２により変換された後の画像データＬＣ、ＬＭを、それぞれ予め設定された遅延時間Ｔだけ遅延させて出力する。
【００４１】
つまり、遅延バッファメモリ６１Ｃ、６１Ｍは、色変換部６２により変換された画像データＤＣ、ＬＣ間、および画像データＤＭ、ＬＭ間に予め設定された時間の遅延が発生するように色変換部６２により変換される前の画像データＣ、Ｍまたは色変換部６２により変換された後の画像データＬＣ、ＬＭを遅延する。
【００４２】
なお、上記のように遅延バッファメモリ６１Ｃ、６１Ｍを色変換部６２の後段に設けた構成では、色変換部６２において同色系の色変換が同時に行なわれることになる。ここで、同色系の色変換とは、画像データＣから画像データＤＣへの色変換と、画像データＣから画像データＬＣへの色変換のように色変換前の画像データの印刷色が同じものをいう。当然ながら、画像データＭから画像データＤＭへの色変換と、画像データＭから画像データＬＭへの色変換も同色系の色変換に該当する。
【００４３】
そのため、色変換部６２に入力される際の画像データＣ、Ｍは同じタイミングの画像データのみで良くなり、画像データの転送に物理的なメモリを使用する場合でも、物理的なメモリを同色系でまとめることができ画像データの転送する際に使用される物理的なメモリの個数が削減される。
【００４４】
具体的には、画像データＣの色変換の場合を用いて説明すると、例えば画像データが８ビット構成の場合、図７（Ａ）に示すように、色変換部６２の前段に遅延バッファメモリ６１Ｃが設けられた場合には、８ビット入力／８ビット出力のメモリが２個必要となる。これに対して、色変換部６２の後段に遅延バッファメモリ６１Ｃが設けられた場合には、図７（Ｂ）に示すように、８ビット入力／１６ビット出力のメモリが１個で済む。
【００４５】
さらに、色変換部６２には、モード切替信号が入力されており、６色のトナー等の色材での印刷と４色のトナー等の色材での印刷とが切り替えられるようになっている。ただし、以下の説明では先ず６色のトナー等の色材での印刷を行う場合の動作について説明する。
【００４６】
階調補正部６３は、各画像形成ユニット５１ＤＣ〜５１Ｋの階調特性のばらつきを修正するために、画像データＤＣ〜Ｋの階調補正を行う。階調再現部６４は、階調補正部６３により階調補正が行なわれた後の画像データに対して、各網点（スクリーン線）の数や密度で色の階調を作り出す処理であるいわゆるスクリーニング処理（網点処理）を行う。
【００４７】
次に、遅延バッファメモリ６１Ｃ、６１Ｍにおける遅延時間Ｔについて詳細に説明する。遅延バッファメモリ６１Ｃは、色変換部６２により変換された画像データＤＣ、ＬＣという異なる印刷色の画像データに基づく２つの画像が印刷用紙上で重なるような時間だけ、画像データＣを遅延時間Ｔだけ遅延させる。同様に、遅延バッファメモリ６１Ｍは、色変換部６２により変換された画像データＤＭ、ＬＭという異なる印刷色の画像データに基づく２つの画像が印刷用紙上で重なるような時間だけ、画像データＭを遅延時間Ｔだけ遅延させる。
【００４８】
具体的には、プリントエンジン１７において画像形成ユニット５１ＤＣ〜５１Ｋが、それぞれ、図３に示すように配置され、隣接する各画像形成ユニット５１ＤＣ〜５１Ｋ間を印刷用紙が搬送される時間がＴである場合、遅延バッファメモリ６１Ｃ、６１Ｍの遅延時間はＴに設定される。
【００４９】
つまり、この遅延時間Ｔは、印刷用紙の搬送速度および画像形成ユニット５１ＤＣ〜５１Ｙの物理的配置に基づいて設定される。そのため、各画像形成ユニット間の距離が短いほど遅延時間Ｔは短くて済み、遅延バッファメモリ６１Ｃ、６１Ｍのメモリ容量も少なくてすむ。また、用紙搬送速度が高速であるほど遅延時間Ｔは短くて済み、遅延バッファメモリ６１Ｃ、６１Ｍのメモリ容量も少なくてすむ。
【００５０】
次に、ＣＭＹＫの各印刷色の画像データが、出力制御部２２によって画像メモリ４２から読み出されるタイミングを図８に示す。また、ＤＣ、ＬＣ、ＤＭ、ＬＭ、Ｙ、Ｋ６色の画像データが画像形成ユニット５１ＤＣ〜５１Ｙに対して出力されるタイミングを図９に示す。
【００５１】
ＣＭＹＫ４色の画像データは、図８に示すように、画像データＣと画像データＭとの間が時間２Ｔ、画像データＭと画像データＹとの間が時間２Ｔ、画像データＹと画像データＫとの間が時間Ｔとなるように画像メモリ４２から読み出される。
【００５２】
そして、画像データＣは、遅延バッファメモリ６１Ｃにより時間Ｔだけ遅延され、画像データＭは、遅延バッファメモリ６１Ｍにより時間Ｔだけ遅延されることにより、遅延される前の画像データＣ、Ｍに基づいて生成された画像データＤＣ、ＤＭと、遅延された後の画像データＣ、Ｍに基づいて生成された画像データＬＣ、ＬＭとの間には、それぞれ遅延時間Ｔ分の時間差が発生する。
【００５３】
その結果、ＤＣ、ＬＣ、ＤＭ、ＬＭ、Ｙ、Ｋ６色の画像データは、図９に示すように、それぞれ時間差Ｔだけ順次ずれてプリントエンジン１７の各画像形成ユニット５１ＤＣ〜５１Ｋに転送されることとなる。
【００５４】
なお、１色の画像データの１ページ分のデータ量を３４．８ＭＢとした場合、６色分の画像データを画像メモリに格納しようとする場合、３４．８×６＝２０８．８ＭＢのメモリ容量が必要となる。しかし、本実施形態の画像形成装置１０では、画像メモリ４２内にＣＭＹＫ４色分の画像データを格納するため、必要となるメモリ容量は、３４．８×４＝１３９．２ＭＢである。
【００５５】
そして、遅延バッファメモリ６１Ｃ、６１Ｍにおいて必要となるメモリ容量は、遅延時間Ｔを発生させるのに必要な大きさで良いため、１ページ分の画像データを格納するためのデータ容量と比較してはるかに少ない。
【００５６】
なお、色変換部６２に入力されているモード切替信号が切り替えられることにより、４色の色材での印刷が行われる場合の出力制御部２２の動作を図１０を参照して説明する。この場合には、色変換部６２は、画像メモリ４２から読み出されたシアン（Ｃ）の画像データ、マゼンタ（Ｍ）の画像データをそのまま階調補正部６３に出力する。そして、このような４色の色材での印刷が行われる場合、画像形成ユニット５１ＬＣ、５１ＬＭは休止状態に設定される。そのため、プリントエンジン１７では、ＣＭＹＫ４色の画像データに基づく画像形成処理が実行される。
【００５７】
なお、４色の色材での印刷が行われる場合でも６色の色材での印刷が行われる場合でも、画像処理部２１における処理については変更する必要は発生しない。
【００５８】
最後に、色変換部４１および色変換部６２において必要なるＬＵＴのデータサイズについての説明を行なう。
先ず、画像処理部２１において、ＲＧＢからＤＣ、ＬＣ、ＤＭ、ＬＭ、Ｙ、Ｋの６色への色変換処理を一括して行った場合に必要となるＬＵＴのデータサイズを図１１を参照して説明する。
【００５９】
この場合、入力画像の４ビット分をＬＵＴで色変換処理するものとして説明する。すると、入力画像のＲＧＢそれぞれにおいて、１７（２4＋１）種類のパターンが必要となり、出力側の６色がそれぞれ８ビットであるため、ＬＵＴのデータサイズは下記の式により算出される。
１７×１７×１７×８（ビット）×６色＝２３５、８２４ビット
【００６０】
次に、本実施形態における色変換部２１、色変変換部６２において必要となるＬＵＴのデータサイズを図１２を参照して説明する。
色変換部２１におけるＬＵＴのデータサイズは、単純に出力側が４色であるため、図１１で示した条件と同じ条件に基づいて算出すると、下記の式により算出される。
１７×１７×１７×８（ビット）×４色＝１５７、２１６ビット
【００６１】
そして、色変換部６２におけるＬＵＴのデータサイズは、下記の式により算出される。
２５６×８×４＝８、１９２ビット
【００６２】
つまり、色変換部２１におけるＬＵＴと色変換部６２におけるＬＵＴのデータサイズの合計は、下記の式により算出される。
１５７、２１６＋８、１９２＝１６５、４０８ビット
【００６３】
この色変換部２１におけるＬＵＴと色変換部６２におけるＬＵＴの合計サイズ１６５、４０８ビットは、上記で算出したＲＧＢ３色から６色への色変換を一括して行った場合のＬＵＴのデータサイズと比較して小さい。
【００６４】
[変形例]
上記実施形態では、シアン（Ｃ）、マゼンタ（Ｍ）の２色の画像データを、それぞれＤＣ、ＬＣ、ＤＭ、ＬＭの画像データに変換する場合を用いて説明しているが、本発明はこれに限定されるものではない。例えば、複数の印刷色の画像データのうちの少なくとも１色の画像データを、２色の画像データに色変換するような場合でも本発明は同様に適用可能である。また、シアンやマゼンタではなく、イエロー(Ｙ)、ブラック（Ｋ）の画像データを、２色の画像データに変換する場合でも同様に本発明を適用することができるものである。
【符号の説明】
【００６５】
１０    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０    端末装置
２１    画像処理部
２２    出力制御部
２４    表示装置
２５    画像読取部
２６    データ記憶装置
２８    制御部
３０    ネットワーク
４０    サーバ
４１    色変換部（第１の色変換手段）
４２    画像メモリ
５１ＤＣ〜５１Ｋ    画像形成ユニット（印刷機構）
５２    定着器
６１Ｃ、６１Ｍ    遅延バッファメモリ（遅延手段）
６２    色変換部（第２の色変換手段）
６３    階調補正部
６４    階調再現部
【図１】
2011254346.tif 000003
【図２】
2011254346.tif 000004
【図３】
2011254346.tif 000005
【図４】
2011254346.tif 000006
【図５】
2011254346.tif 000007
【図６】
2011254346.tif 000008
【図７】
2011254346.tif 000009
【図８】
2011254346.tif 000010
【図９】
2011254346.tif 000011
【図１０】
2011254346.tif 000012
【図１１】
2011254346.tif 000013
【図１２】
2011254346.tif 000014